【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
互いに至近に配置される歯科治療ユニット（４）及び患者用椅子（５）を備える歯科治療装置であって、その歯科治療装置は歯科治療器具（９）用の処置アーム（７）と、表示画面（３）のような歯科環境で用いられる機器又はデバイス用のアームの少なくとも一方が構造的に接続される歯科治療装置であって、
前記歯科治療装置（２）は、前記歯科治療ユニット（４）の至近に配置される少なくとも１つのアーム部（１１）を備え、そのアーム部（１１）には、Ｘ線源（１４）と画像情報受信機（１５）との少なくとも一方が配置され、前記歯科治療装置（２）において、前記アーム部（１１）及び前記患者用椅子（５）の相互位置は、前記アーム部（１１）が前記患者用椅子（５）の実質的に上方に位置決めされるか又は位置決め可能であるようになっており、前記歯科治療装置において、前記Ｘ線源（１４）と前記画像情報受信機（１５）とのうちの前記少なくとも一方を担持する前記アーム部（１１）及び／又は前記患者用椅子（５）は、アクチュエータによって回転可能に配置されることを特徴とする歯科医療装置。
【請求項２】
請求項１に記載の歯科治療装置であって、
前記Ｘ線源（１４）と前記画像情報受信機（１５）との少なくとも一方を担持する前記アーム部（１１）は、患者の頭蓋の両側において、一方では前記Ｘ線源（１４）を他方では前記画像情報受信機（１５）を離れて担持するように、アクチュエータによって回転可能に配置されることを特徴とする歯科治療装置。
【請求項３】
請求項１に記載の歯科治療装置であって、
前記患者用椅子（５）は、アクチュエータによって回転可能に配置され、前記Ｘ線源（１４）と前記画像情報受信機（１５）とのうちの前記一方が担持される前記アーム部（１１）に取り付け配置され、前記Ｘ線源（１４）及び前記画像情報受信機（１５）の他方は該歯科治療ユニット（４）から延びる支持アーム（１）または前記Ｘ線源（１４）と前記画像情報受信機（１５）との前記アーム部（１１）以外の場所に取り付け配置されることを特徴とする歯科治療装置。
【請求項４】
請求項１から３のいずれか一項に記載の歯科治療装置であって、
前記歯科治療装置（２）は、前記歯科治療ユニット（４）及び／又は前記患者用椅子（５）のいずれかまたは両方に、かつ可動に配置される前記アーム部（１１）の前記アクチュエータと、記Ｘ線源（１４）と、前記画像情報受信機（１５）との少なくとも１つに、制御コマンドを送信するユーザーインタフェース（１８）を備えることを特徴とする歯科治療装置。
【請求項５】
請求項１から４のいずれか一項に記載の歯科治療装置であって、
前記歯科治療装置は、一方では回転可能であるように配置される前記アーム部（１１）のアクチュエータ又は前記患者用椅子（５）のアクチュエータ、前記Ｘ線源（１４）、及び前記画像情報受信機（１５）を制御し、他方では少なくとも前記歯科治療ユニット（４）を制御する制御ルーチン及び制御手段（１８）を備える制御システムを備え、該制御システムは、前記歯科治療ユニット（４）の制御システムの一部を形成するように少なくとも部分的に配置されることを特徴とする歯科治療装置。
【請求項６】
請求項１から５のいずれか一項に記載の歯科治療装置であって、
前記歯科治療装置は、回転可能であるように配置される前記アーム部（１１）の前記アクチュエータ、前記Ｘ線源（１４）、前記画像情報受信機（１５）、の少なくとも１つと電力及び／又は情報を伝送し合う手段を備え、該手段の少なくともいくつかは、前記歯科治療ユニット（４）及び／又は前記患者用椅子（５）の対応する手段と統合及び／又は機能的に接続されるように配置されることを特徴とする歯科治療装置。
【請求項７】
請求項１から６のいずれか一項に記載の歯科治療装置であって、
前記Ｘ線源（１４）と前記画像情報受信機（１５）との少なくとも一方を担持する前記アーム部（１１）は、前記アーム部（１１）が前記患者用椅子（５）で座位にある患者の頭蓋の実質的に上方に位置して、前記Ｘ線源（１５）及び画像情報受信機（１６）が頭蓋の実質的に両側にあるように位置決めされるように配置されることを特徴とする歯科治療装置。
【請求項８】
請求項１から７のいずれか一項に記載の歯科治療装置であって、
前記患者用椅子（５）の高さ位置を調整する手段等の、該患者用椅子（５）及び／又は回転可能であるように配置される前記アーム部（１１）の相対高さ位置を調整する手段（６）が設けられることを特徴とする歯科治療装置。
【請求項９】
請求項８に記載の歯科治療装置であって、
前記患者用御椅子（５）の高さ位置を調整する手段は、前記歯科治療ユニット（４）に関連して配置されることを特徴とする歯科治療装置。
【請求項１０】
請求項１から８のいずれか一項に記載の歯科治療装置であって、
前記Ｘ線源（１４）と前記画像情報受信機（１５）との少なくとも一方を担持するように配置される前記アーム部（１１）を支持する実質的に垂直な支持柱又は対応する構造（１、１６）が、前記歯科治療装置に配置され、前記アーム部（１１）は、実質的に水平方向に延びる少なくとも１つの他のアーム部（１２）を介して前記支持柱（１、１６）に取り付けられることを特徴とする歯科治療装置。
【請求項１１】
請求項１から１０のいずれか一項に記載の歯科治療装置であって、
実質的に垂直な支持柱又は対応する構造（１）は、前記歯科治療ユニット（４）に配置され、前記歯科用器具（９）のために配置される前記処置アーム（７）及び前記Ｘ線源（１４）と前記画像情報受信機（１５）との少なくとも一方を担持する前記アーム部（１１）はいずれも、直接又は他の構造を介して前記支持構造（１）に取り付けられることを特徴とする歯科治療装置。
【請求項１２】
請求項１０または１１に記載の歯科治療装置であって、
前記実質的に垂直な支持柱又は対応する構造（１、１６）は、例えば、前記歯科治療ユニット（４）に関して前記患者用椅子（５）の反対側に、又は該患者用椅子（５）上に、前記歯科治療ユニット（４）に実質的に近接して配置されることを特徴とする歯科治療装置。
【請求項１３】
請求項１から１２のいずれか一項に記載の歯科治療装置であって、
互いに離れて配置される前記Ｘ線源（１４）と前記画像情報受信機（１５）との間で前記患者用椅子（５）の実質的に上方に位置決めされるように又は位置決め可能であるように配置される患者支持手段（１０）が配置されることを特徴とする歯科治療装置。
【請求項１４】
請求項１に記載の歯科治療装置であって、
前記Ｘ線源（１４）と前記画像情報受信機（１５）とは、前記Ｘ線源（１４）と前記画像情報受信機（１５）の少なくとも一方を担持する前記アーム部（１１）に配置され、該アーム部（１１）は、座位にある患者の頭蓋の実質的に上方に位置するか又は位置決め可能であるように、また実質的に垂直な軸に対して回動させることができると共に実質的に水平な面内での前記アーム部（１１）の前記垂直回転軸（１３）の位置が変わるように前記水平面内で移動させることもできるように、前記歯科治療装置に配置され、該歯科治療装置（２）は、制御下で前記アーム部（１１）を回動及び／又は移動させることができると共に該移動と同時に前記Ｘ線源（１４）からＸ線を生成させることができるような制御システムを備えることを特徴とする歯科治療装置。
【請求項１５】
請求項１から１４のいずれか一項に記載の歯科治療装置であって、
前記歯科治療装置は、互いに実質的に近接して配置される前記歯科治療ユニット（４）と前記患者用椅子（５）とからなる少なくとも２つの組立体と、支持柱（１、１６）又は同等物と、関連して設けられるアクチュエータによって移動させられるように配置される少なくとも１つの実質的に水平方向に延びるアーム部（１１）とを備え、該アーム部（１１）に、前記Ｘ線源（１４）と前記画像情報受信機（１５）との少なくとも一方が配置され、前記歯科治療装置（２）に、前記アーム部（１１）は、前記前記２つの組立体における、２つの前記患者用椅子（５）の両方の実質的に上方で位置決め可能であるように配置されることを特徴とする歯科治療装置。
【請求項１６】
請求項１５に記載の歯科治療装置であって、
前記患者用椅子（５）のそれぞれの高さ位置を調整する手段が配置されることを特徴とする歯科治療装置。
【請求項１７】
請求項１５または１６に記載の歯科治療装置であって、
前記歯科治療装置は、前記患者用椅子（５）及び前記歯科治療ユニット（４）からなる４つの組立体を具備し、可動であるように配置される前記アーム部（１１）は、前記４つの組立体のそれぞれにおいて、前記患者用椅子（５）の上方に位置決め可能であるように配置されることを特徴とする歯科治療装置。